(57)【要約】      （修正有）【課題】シートを搬送するローラにカバーを設けながら、ジャム処理の作業が困難になることを防止できるシートの搬送装置。【解決手段】プリンタは、第２拍車３５と、第２拍車３５の下方に位置しており、第２拍車３５と協働して用紙を挟持して用紙を排出向きに排出する挟持位置ＰＥ１と、当該挟持位置ＰＥ１よりも下方に位置する離間位置ＰＥ２とに移動可能な排紙ローラ３４と、第１位置Ｐ１と、当該第１位置Ｐ１よりも下方に位置する第２位置Ｐ２とに移動可能であって、第１位置Ｐ１にあるときに、挟持位置ＰＥ１にある排紙ローラ３４の排出向きの下流側部分の一部の領域の範囲を覆う底壁を有するカバー部４１と、排紙ローラ３４を挟持位置ＰＥ１と離間位置ＰＥ２とに移動させ、且つ、カバー部４１を第１位置Ｐ１から第２位置Ｐ２に移動させる移動部材９２と、を備える。【選択図】図８
2018172182.tif 000002
【特許請求の範囲】
【請求項１】
第１ローラと、
上記第１ローラの下方に位置しており、上記第１ローラと協働してシートを挟持してシートを排出向きに排出する挟持位置と、当該挟持位置よりも下方に位置する離間位置とに移動可能な第２ローラと、
第１位置と、当該第１位置よりも下方に位置する第２位置とに移動可能であって、上記第１位置にあるときに、上記挟持位置にある上記第２ローラの上記排出向きの下流側部分の少なくとも一部を覆う下流壁を有するカバー部と、
上記第２ローラを上記挟持位置と上記離間位置とに移動させ、且つ、上記カバー部を上記第１位置から上記第２位置に移動させる移動部材と、を備える搬送装置。
【請求項２】
上記カバー部の上記下流壁は、上記第２ローラの下端よりも排出向きの下流側において、当該下端より下方の位置から上記下端と上記第２ローラの上端との間の位置まで上方に延びている請求項１に記載の搬送装置。
【請求項３】
上記移動部材は、上記第２ローラの上記挟持位置から上記離間位置への移動に連動して、上記カバー部の上記第２ローラの軸心に対する距離を一定に保ちながら、上記カバー部を上記第１位置から上記第２位置に移動させる請求項１又は２に記載の搬送装置。
【請求項４】
上記カバー部は、上記第２ローラのローラ軸に係合している請求項３に記載の搬送装置。
【請求項５】
上記カバー部の上記下流壁の上記排出向きの下流側の端位置は、上記第２ローラの上記排出向きの下流側部分の端位置よりも上記排出向きの上流側に位置する請求項１から４のいずれかに記載の搬送装置。
【請求項６】
上記カバー部は、当該カバー部が上記第１位置にあるときに、上記挟持位置にある上記第２ローラの軸方向の端面の少なくとも一部を覆う側壁を有する請求項１から５のいずれかに記載の搬送装置。
【請求項７】
上記カバー部は、当該カバー部が上記第１位置にあるときに、上記挟持位置にある上記第２ローラの周面において下方を向く部分の少なくとも一部を覆う下壁を有する請求項１から６のいずれかに記載の搬送装置。
【請求項８】
上記下壁は、上記第２ローラの下端より上記排出向きの上流側に開口を有する請求項７に記載の搬送装置。
【請求項９】
請求項１から８のいずれかに記載の搬送装置と、
上記第２ローラよりも上記排出向きの上流側に位置する記録部と、
上記記録部の下方に位置するプラテンと、を備えており、
上記カバー部が上記プラテンと一体成型されている画像記録装置。
【発明の詳細な説明】
【技術分野】
【０００１】
本発明は、シートを搬送する搬送装置、及び、当該搬送装置を有する画像記録装置に関する。
【背景技術】
【０００２】
従来、シートの排出口から内部機構への異物の進入を防止することができる画像形成装置が知られている（特許文献１参照）。この画像形成装置の排紙装置は、排紙ローラ対と、排紙ローラ対を覆う遮蔽カバーとを備えている。
【先行技術文献】
【特許文献】
【０００３】
【特許文献１】特開２０１４−７７９４２号公報
【発明の概要】
【発明が解決しようとする課題】
【０００４】
特許文献１の排紙装置は、排紙ローラ対を覆う遮蔽カバーを備えているので、排紙ローラ対を構成するローラがユーザに触れられることや、異物の侵入を抑制できる。ところが、ユーザがジャム処理において排紙装置からシートを除去する際には、ジャム処理の作業がし難くなる。
【０００５】
本発明は、上記問題に鑑みてなされたものであり、その目的は、シートを搬送するローラにカバーを設けながら、ジャム処理の作業が困難になることを防止できるシートの搬送装置を提供することである。
【課題を解決するための手段】
【０００６】
(1)  本発明に係る搬送装置は、第１ローラと、上記第１ローラの下方に位置しており、上記第１ローラと協働してシートを挟持してシートを排出向きに排出する挟持位置と、当該挟持位置よりも下方に位置する離間位置とに移動可能な第２ローラと、第１位置と、当該第１位置よりも下方に位置する第２位置とに移動可能であって、上記第１位置にあるときに、上記挟持位置にある上記第２ローラの上記排出向きの下流側部分の少なくとも一部を覆う下流壁を有するカバー部と、上記第２ローラを上記挟持位置と上記離間位置とに移動させ、且つ、上記カバー部を上記第１位置から上記第２位置に移動させる移動部材と、を備える。
【０００７】
上記構成によれば、第２ローラが離間位置に移動すると共に、カバー部が第２位置に移動するので、第１ローラと第２ローラとの間に位置するシートを取り出すジャム処理の作業において、カバー部が妨げにならない。
【０００８】
(2)  好ましくは、上記カバー部の上記下流壁は、上記第２ローラの下端よりも排出向きの下流側において、当該下端より下方の位置から上記下端と上記第２ローラの上端との間の位置まで上方に延びている。
【０００９】
上記構成によれば、第２ローラの排出向きの下流側部分の一部が露出するので、通紙性が良好である。
【００１０】
(3)  好ましくは、上記移動部材は、上記第２ローラの上記挟持位置から上記離間位置への移動に連動して、上記カバー部の上記第２ローラの軸心に対する距離を一定に保ちながら、上記カバー部を上記第１位置から上記第２位置に移動させる。
【００１１】
上記構成によれば、第２ローラとカバー部との位置関係が保たれるので、第２ローラとの衝突を回避しながらカバー部の移動距離が最小化される。
【００１２】
(4)  好ましくは、上記カバー部は、上記第２ローラのローラ軸に係合している。
【００１３】
上記構成によれば、第２ローラにカバー部を連動させる構成が容易に実現できる。
【００１４】
(5)  好ましくは、上記カバー部の上記下流壁の上記排出向きの下流側の端位置は、上記第２ローラの上記排出向きの下流側部分の端位置よりも上記排出向きの上流側に位置する。
【００１５】
上記構成によれば、カバー部が第２ローラを超えて排出向きに突出しないので、カバー部が第２ローラにより排出されるシートの障害とならない。したがって、通紙性が良好である。
【００１６】
(6)  好ましくは、上記カバー部は、当該カバー部が上記第１位置にあるときに、上記挟持位置にある上記第２ローラの軸方向の端面の少なくとも一部を覆う側壁を有する。
【００１７】
上記構成によれば、カバー部が側壁を有するので、第２ローラが軸方向からユーザに触れられることが防止される。
【００１８】
(7)  好ましくは、上記カバー部は、当該カバー部が上記第１位置にあるときに、上記挟持位置にある上記第２ローラの周面において下方を向く部分の少なくとも一部を覆う下壁を有する。
【００１９】
上記構成によれば、カバー部が下壁を有するので、第２ローラが下方からユーザに触れられることが防止される。また、シートからの紙粉が下壁に受け止められるので、紙粉の落下が防止される。
【００２０】
(8)  好ましくは、上記下壁は、上記第２ローラの下端より上記排出向きの上流側に開口を有する。
【００２１】
上記構成によれば、下壁が開口を有するので、第２ローラの回転を阻害するほど下壁内に紙粉が溜まることが防止される。
【００２２】
(9)  本発明に係る画像記録装置は、上記搬送装置と、上記第２ローラよりも上記排出向きの上流側に位置する記録部と、上記記録部の下方に位置するプラテンと、を備えており、上記カバー部が上記プラテンと一体成型されている。
【００２３】
上記構成によれば、カバー部がプラテンと別に成型される場合と比べて、カバー部の成型が容易である。
【発明の効果】
【００２４】
本発明に係る搬送装置は、シートを搬送するローラにカバーを設けながら、ジャム処理の作業が困難になることを防止できる。
【図面の簡単な説明】
【００２５】
【図１】図１は、本実施形態に係るプリンタ１０の内部構造を模式的に示す縦断面図である。
【図２】図２は、第１実施形態に係るプラテン４２及びカバー部４１の左前方から視た斜視図である。
【図３】図３は、図２のＩＩＩ−ＩＩＩ矢視断面図である。
【図４】図４は、図３の要部拡大図である。
【図５】図５は、第１実施形態に係るプラテン４２及びカバー部４１の平面図である。
【図６】図６は、図５のＶＩ−ＶＩ矢視断面図である。
【図７】図７は、図６の要部拡大図である。
【図８】図８は、第１実施形態に係る移動機構９０を模式的に示す縦断面図であり、図８（Ａ）は、排紙ローラ３４が挟持位置ＰＥ１にあるときの図であり、図８（Ｂ）は、排紙ローラ３４が離間位置ＰＥ２にあるときの図である。
【図９】図９は、第２実施形態に係る移動機構１９０を模式的に示す縦断面図であり、図９（Ａ）は、排紙ローラ３４が挟持位置ＰＥ１にあるときの図であり、図９（Ｂ）は、排紙ローラ３４が離間位置ＰＥ２にあるときの図である。
【発明を実施するための形態】
【００２６】
以下、本発明の実施形態について説明する。なお、以下に説明される実施形態は本発明の一例にすぎず、本発明の要旨を変更しない範囲で、本発明の実施形態を適宜変更できることは言うまでもない。プリンタ１０が使用可能に水平面に設置された姿勢（図１の姿勢であって、「使用姿勢」と表記することがある。）を基準として上下方向７が定義され、プリンタ１０の排出トレイ２１が設けられている面を前面として前後方向８が定義され、プリンタ１０を前面から見て左右方向９が定義される。本実施形態では、使用姿勢において、上下方向７が鉛直方向に相当し、前後方向８及び左右方向９が水平方向に相当する。
【００２７】
［第１実施形態］
図１から図８を参照して、第１実施形態に係るプリンタ１０（搬送装置及び画像記録装置の一例）が説明される。
【００２８】
［プリンタ１０の全体構成］
図１に示されるように、プリンタ１０は、インクジェット記録方式で用紙１２に画像を記録する画像記録装置である。プリンタ１０は、給送部１５と、給送トレイ２０と、排出トレイ２１と、第１搬送部２２と、第２搬送部２３と、記録部２４と、プラテン４２と、を備えている。プリンタ１０は、プリント機能の他に、ファクシミリ機能及びスキャン機能などの各種の機能を有してもよい。
【００２９】
［給送トレイ２０、排出トレイ２１］
給送トレイ２０は、プリンタ１０の下部に位置しており、前後方向８に沿って挿抜可能である。給送トレイ２０は、積層された複数の用紙１２を支持可能である。排出トレイ２１は、給送トレイ２０の上方に位置している。排出トレイ２１は、第２搬送部２３によって記録部２４とプラテン４２との間から排出された用紙１２を支持する。
【００３０】
［給送部１５］
図１に示されるように、給送部１５は、給送ローラ２５と、給送アーム２６と、軸２７とを備える。給送部１５は、給送トレイ２０に支持された用紙１２を搬送経路１３へ給送する。給送ローラ２５は、給送アーム２６の先端に回転可能に支持されている。給送ローラ２５は、不図示の給送用モータによって正回転に駆動される。給送アーム２６は、プリンタ１０のフレームに支持された軸２７に回動可能に支持されている。給送アーム２６は、自重或いはバネ等による弾性力によって給送トレイ２０に向かって回動付勢されている。
【００３１】
給送ローラ２５の正回転は、給送ローラ２５が用紙１２を排出向き１６に搬送する向きに回転することを指している。以下、給送ローラ２５以外の他のローラについても、正回転は、用紙１２を排出向き１６に搬送する向きに回転することを指す。
【００３２】
［搬送経路１３］
図１に示されるように、搬送経路１３は、給送トレイ２０の後端部から上方に延びつつ前方にＵターンし、記録部２４とプラテン４２との間の空間を経て排出トレイ２１に至る経路である。プリンタ１０は、間隔を空けて対向する外側ガイド部材１８及び内側ガイド部材１９を備えており、外側ガイド部材１８及び内側ガイド部材１９の内部空間によって、Ｕターンする部分の搬送経路１３が形成されている。第１搬送部２２及び第２搬送部２３の間における搬送経路１３は、左右方向９におけるプリンタ１０の概ね中央部に位置し且つ前後方向８に延びている。用紙１２の排出向き１６は、搬送経路１３に沿って設けられた矢印により示されている。
【００３３】
［第１搬送部２２、第２搬送部２３］
図１に示されるように、第１搬送部２２は、記録部２４より排出向き１６の上流に位置している。第１搬送部２２は、互いに対向する搬送ローラ３１及びピンチローラ３２を有する。ピンチローラ３２は搬送ローラ３１よりも上方に位置する。用紙１２は、搬送ローラ３１及びピンチローラ３２によりニップされて搬送される。搬送ローラ３１は、図示せぬ搬送用モータによって駆動される。ピンチローラ３２は、搬送ローラ３１の回転に伴って連れ回る。ニップされた用紙１２は、搬送用モータの正転によって正回転する搬送ローラ３１及びピンチローラ３２により、排出向き１６に搬送される。
【００３４】
第２搬送部２３は、記録部２４より排出向き１６の下流に位置している。第２搬送部２３は、第１拍車３３と、第１拍車３３より排出向き１６の下流に位置して互いに対向する排紙ローラ３４（第２ローラの一例）及び第２拍車３５（第１ローラの一例）と、を有する。第１拍車３３は、用紙１２が上方に浮き上がったときに用紙１２が記録ヘッド３９に接触することを防止する部材である。第２拍車３５は排紙ローラ３４よりも上方に位置する。用紙１２は、排紙ローラ３４及び第２拍車３５によりニップされる。排紙ローラ３４は、同軸上に位置する回転軸３６に固定されており、搬送用モータが回転軸３６を回転させることによって駆動される。第１拍車３３は、用紙１２の搬送に伴って連れ回る。第２拍車３５は、排紙ローラ３４の回転に伴って連れ回る。ニップされた用紙１２は、搬送用モータの正転によって正回転する排紙ローラ３４及び第２拍車３５により、排出向き１６に搬送される。
【００３５】
［記録部２４］
図１に示されるように、記録部２４は、排出向き１６における第１搬送部２２及び第２搬送部２３の間に配置されている。記録部２４は、キャリッジ３８と、記録ヘッド３９とを備えている。
【００３６】
キャリッジ３８は、記録ヘッド３９を搭載している。記録ヘッド３９の下面には、複数のノズル４０が配置されている。複数のノズル４０の先端は、記録ヘッド３９の下面から露出している。複数のノズル４０の全体は、搬送ローラ３１及びピンチローラ３２よりも排出向き１６の下流側に位置している。記録ヘッド３９は、ノズル４０からインクを微小なインク滴として吐出する。キャリッジ３８が左右方向９に移動する過程において、プラテン４２に支持されている用紙１２に向けて記録ヘッド３９がインク滴を吐出する。これにより、用紙１２に画像が記録される。
【００３７】
［プラテン４２］
図１に示されるように、プラテン４２は、排出向き１６における搬送ローラ３１及び排紙ローラ３４の間に配置されている。記録部２４及びプラテン４２は、搬送経路１３を挟んで上下方向７に対向して配置されている。記録部２４はプラテン４２よりも上方に位置する。プラテン４２は、記録部２４の下方において搬送経路１３の下面を画定している。
【００３８】
図２、図３に示されるように、プラテン４２は、２つの側壁４３、後上壁４４、後壁４５、底壁４６、中壁４７、前上壁４８、及び前壁４９を備えている。
【００３９】
２つの側壁４３は、左右方向９の両側にそれぞれ位置している。側壁４３は、左右方向９と垂直な板状部分であり、前後方向８において長手である。側壁４３の下面は、平面部４３ａと、下方に開口する凹面部４３ｂとを有している。平面部４３ａは、凹面部４３ｂの前方及び後方に位置している。
【００４０】
後上壁４４、後壁４５、底壁４６、中壁４７、前上壁４８、及び前壁４９はいずれも、左右方向９において２つの側壁４３を連結している。後上壁４４は、上下方向７と垂直な板状部分であり、側壁４３の後上端部から前方に延びている。後壁４５は、前後方向８と垂直な板状部分であり、後上壁４４の前上端部から下方に延びている。底壁４６は、上下方向７と垂直な板状部分であり、後壁４５の下端部から前方に延びている。中壁４７は、前後方向８と垂直な板状部分であり、底壁４６の前端部から上方に延びている。前上壁４８は、上下方向７と垂直な板状部分であり、中壁４７の上端部から前方に延びている。前壁４９は、前後方向８と垂直な板状部分であり、前上壁４８の前端部から下方に延びている。
【００４１】
［カバー部４１］
図１に示されるように、プリンタ１０は、プラテン４２の排出向き１６の下流に、排紙ローラ３４の一部を覆うカバー部４１を備えている。以下で図２から図７を参照して説明されるカバー部４１の姿勢は、図８（Ａ）に示される位置にある場合（排紙ローラ３４が挟持位置ＰＥ１にある場合）を基準としている。
【００４２】
図２、図３に示されるように、カバー部４１は、３つの係合部５０及び８つのカバー本体部５１を有している。本実施形態では、カバー部４１はプラテン４２と一体成型されており、３つの係合部５０及び８つのカバー本体部５１は、プラテン４２の前壁４９から前方に突出している。３つの係合部５０及び８つのカバー本体部５１が前壁４９に固定されているので、８つのカバー本体部５１は３つの係合部５０に対して固定されている。
【００４３】
図２、図３に示されるように、３つの係合部５０は、左右方向９において前壁４９の両端部及び中央部に位置している。８つのカバー本体部５１は、左右方向９に沿って並んでいる。左端部の係合部５０と中央部の係合部５０との間に、４つのカバー本体部５１が位置しており、右端部の係合部５０と中央部の係合部５０との間に、４つのカバー本体部５１が位置している。
【００４４】
図５に示されるように、３つの係合部５０は、排紙ローラ３４の回転軸３６を支持する。また、８つのカバー本体部５１はそれぞれ、左右方向９において排紙ローラ３４に対応する位置、すなわち排紙ローラ３４の直下方の位置にある。
【００４５】
［係合部５０］
図２、図３に示されるように、係合部５０は、２つの側壁５２と、連結壁５３と、を備えている。２つの側壁５２は、左右方向９に並んでいる。側壁５２は、左右方向９と垂直な板状部分である。連結壁５３は、上下方向７と垂直な板状部分であり、２つの側壁５２を左右方向９に接続している。側壁５２は、上方に開口する凹部５２ａを有している。凹部５２ａには、排紙ローラ３４の回転軸３６が係合可能である。図３、図４に示されるように、凹部５２ａは、左右方向９から視て、上方で若干先細りであるので、凹部５２ａに係合した回転軸３６は、係合部５０から容易に抜けない。
【００４６】
［カバー本体部５１］
図２から図４に示されるように、カバー本体部５１は、２つの側壁５４と、底壁５５（下流壁及び下壁の一例）とを備えている。２つの側壁５４は、左右方向９に並んでいる。側壁５４は、左右方向９と垂直な板状部分である。底壁５５は、上下方向７と垂直な板状部分であり、２つの側壁５４の下端部を左右方向９に接続している。
【００４７】
図２、図６に示されるように、側壁５４の上面は、前壁４９の上部から前下方に延びた後、前方に延びている。図６に示されるように、側壁５４は、排紙ローラ３４の左右方向９の端面に対向している。左右方向９から視て、側壁５４の上部は、排紙ローラ３４の後端６９から下端６４に亘る外周部に沿って、排紙ローラ３４の一部と重複している。そのため、側壁５４は、排紙ローラ３４の端面の一部を覆っている。
【００４８】
図４、図７に示されるように、底壁５５は、前後方向８に沿って並ぶ前部５６及び後部５７を有している。前部５６（下流壁の一例）は、排紙ローラ３４の軸心Ａ３４よりも前方に位置する部分である。後部５７は、排紙ローラ３４の軸心Ａ３４よりも後方に位置する部分である。前部５６の上面は、曲面５８と、曲面５８から前方に延び且つ上下方向７に垂直な平面５９と、を有している。曲面５８は、排紙ローラ３４の軸心Ａ３４の周方向に沿って延びる円柱面の一部である。後部５７の上面は、上下方向７に垂直な平面６０と、平面６０から前方に延びる曲面６１と、を有している。曲面６１は、排紙ローラ３４の軸心Ａ３４の周方向に沿って延びる円柱面の一部である。前部５６の曲面５８及び後部の曲面６１は面一に連続している。
【００４９】
図７に示されるように、前部５６は、排紙ローラ３４の排出向き１６の下流側部分６２の一部の領域６３を覆っている。詳述すると、下流側部分６２は、排紙ローラ３４の外周面のうち、軸心Ａ３４よりも前側（排出向き１６の下流側の一例）に位置する部分である。領域６３は、下流側部分６２のうち、排紙ローラ３４の軸心Ａ３４を通過する鉛直面と、排紙ローラ３４の軸心Ａ３４及び前部５６の前端６６を通過する平面とによって囲まれた範囲である。
【００５０】
前部５６の曲面５８の後端は、排紙ローラ３４の下端６４及び上端６５の直下方に位置している。排紙ローラ３４の下端６４及び上端６５は、排紙ローラ３４の軸心Ａ３４を通過する鉛直面内にある。前部５６の曲面５８の前端及び平面５９は、前部５６の曲面５８の後端よりも高い位置にあり、排紙ローラ３４の下端６４及び上端６５の間に位置している。仮想線Ｌ６４は、排紙ローラ３４の下端６４を通過する前後方向８の直線を示している。
【００５１】
前部５６の前端６６（排出向き１６の下流側の端位置の一例）は、排紙ローラ３４の前端６７（排出向き１６の下流側の端位置の一例）よりも、後側（排出向き１６の上流側の一例）にある。仮想線Ｌ６７は、排紙ローラ３４の前端６７を通過する上下方向７の直線を示している。
【００５２】
図６、図７に示されるように、後部５７は、上下方向７に延びる貫通孔６８（開口の一例）を有している。貫通孔６８は、後部５７の平面６０に形成されており、排紙ローラ３４の下端６４よりも後側（排出向き１６の上流側の一例）に位置する。
【００５３】
図６、図７に示されるように、底壁５５は、排紙ローラ３４の外周面において下方を向く部分の一部を覆っている。上述したように、底壁５５の前端６６は、排紙ローラ３４の前端６７よりも後方にあるので、排紙ローラ３４の前端６７の周辺を除いて、底壁５５は排紙ローラ３４の外周面を覆っている。
【００５４】
［移動機構９０］
図８に示されるように、プリンタ１０は、排紙ローラ３４及びプラテン４２を移動させる移動機構９０を備えている。移動機構９０は、左右方向９の両側のそれぞれに、サイドフレーム９１と、移動部材９２と、当接片９３と、バネ９４と、を備えている。
【００５５】
左右に位置する２つのサイドフレーム９１は、プラテン４２を上下方向７に移動可能に支持している。２つのサイドフレーム９１は、左右方向９に延びる図示せぬフレームにより連結されている。また、各サイドフレーム９１は、移動部材９２を前後方向８に移動可能に支持している。２つの移動部材９２は、左右方向９に延びる図示せぬフレームにより連結されている。
【００５６】
移動部材９２は、前後方向８に延びる長手のレバー部９５と、レバー部９５の前端に固定された把持部９６と、レバー部９５の中央部に固定されたガイド部９７と、を備えている。レバー部９５は、サイドフレーム９１に前後方向８に移動可能に支持されている。把持部９６は、図１に示される排出トレイ２１の上方に位置している。ガイド部９７には、排紙ローラ３４の回転軸３６を上下方向７において案内するガイド孔９８が形成されている。ガイド孔９８には、排紙ローラ３４の回転軸が挿入されている。ガイド孔９８の前方部分は、ガイド孔９８の後方部分よりも、排紙ローラ３４の回転軸３６を上下方向７の上方に保持する。ユーザは、把持部９６を把持して前方に引き出す又は後方に押し込むことにより、移動部材９２を前後方向８に移動させることが可能である。レバー部９５の後端部の上方には、当接片９３が位置している。バネ９４は、当接片９３とレバー部９５との間に位置し、当接片９３とレバー部９５とを連結している。バネ９４は、当接片９３をレバー部９５に対して上方に付勢している。
【００５７】
排紙ローラ３４は、ガイド孔９８に案内されて、図８（Ａ）に示される挟持位置ＰＥ１と図８（Ｂ）に示される離間位置ＰＥ２との間を移動可能である。挟持位置ＰＥ１及び離間位置ＰＥ２は、上下方向７における排紙ローラ３４の回転軸３６の軸心の位置を示している。排紙ローラ３４が挟持位置ＰＥ１にあるとき、排紙ローラ３４は第２拍車３５と協働して用紙１２を挟持して排出向き１６に排出可能である。離間位置ＰＥ２は、挟持位置ＰＥ１よりも下方に位置している。排紙ローラ３４が離間位置ＰＥ２にあるときの第２拍車３５と排紙ローラ３４の軸心間距離Ｄ２は、排紙ローラ３４が挟持位置ＰＥ１にあるときの第２拍車３５と排紙ローラ３４の軸心間距離Ｄ１よりも大きい。
【００５８】
カバー部４１は、図８（Ａ）に示される第１位置Ｐ１と図８（Ｂ）に示される第２位置Ｐ２との間を移動可能である。第１位置Ｐ１及び第２位置Ｐ２は、上下方向７におけるカバー部４１の下端（底壁５５の下面）の位置を示している。第２位置Ｐ２は、第１位置Ｐ１よりも下方に位置している。
【００５９】
移動部材９２は、図８（Ａ）に示される収納位置ＰＭ１と図８（Ｂ）に示される突出位置ＰＭ２との間を移動可能である。収納位置ＰＭ１及び突出位置ＰＭ２は、前後方向８における移動部材９２の把持部９６の前端の位置を示している。突出位置ＰＭ２は、収納位置ＰＭ１よりも前方に位置している。
【００６０】
図８（Ａ）に示されるように、移動部材９２が収納位置ＰＭ１にあるとき、バネ９４に付勢された当接片９３は、凹面部４３ｂよりも後方に位置するプラテン４２の平面部４３ａに当接している。また、排紙ローラ３４の回転軸３６は、ガイド孔９８の前方部分に位置する。上述したように、カバー部４１はプラテン４２に固定されており、排紙ローラ３４の回転軸３６は、ガイド孔９８により上下方向７に対して位置決めされている。移動部材９２が収納位置ＰＭ１にあるとき、排紙ローラ３４が挟持位置ＰＥ１にあり、且つ、カバー部４１が第１位置Ｐ１にある。
【００６１】
移動部材９２が収納位置ＰＭ１と突出位置ＰＭ２との間を移動されることに伴って、プラテン４２及び排紙ローラ３４が上下方向７に移動する。図８（Ｂ）に示されるように、移動部材９２が突出位置ＰＭ２にあるとき、バネ９４に付勢された当接片９３は、プラテン４２の凹面部４３ｂに当接している。凹面部４３ｂは上方に窪んでいるため、当接片９３自体は図８（Ａ）に示される位置より上方に位置するが、プラテン４２自体は図８（Ａ）に示される位置より下方に位置する。また、排紙ローラ３４の回転軸３６は、ガイド孔９８の後方部分に位置する。これにより、排紙ローラ３４は、挟持位置ＰＥ１より上下方向７の下方に位置する離間位置ＰＥ２となる。また、カバー部４１は、第１位置Ｐ１より上下方向７の下方に位置する第２位置Ｐ２となる。
【００６２】
プラテン４２は、２つのサイドフレーム９１に、左右方向９回りに回転不能且つ上下方向７に移動可能に支持されている。そのため、移動部材９２の位置が収納位置ＰＭ１と突出位置ＰＭ２との間で変化するのに伴って、プラテン４２が上下方向７に平行移動する。カバー部４１はプラテン４２に固定されており、排紙ローラ３４はカバー部４１に支持されているので、プラテン４２の平行移動に伴って、カバー部４１及び排紙ローラ３４も平行移動する。
【００６３】
［第１実施形態の作用効果］
第１実施形態に係るプリンタ１０によれば、排紙ローラ３４が離間位置ＰＥ２に移動すると共に、カバー部４１が第２位置Ｐ２に移動するので、第２拍車３５と排紙ローラ３４との間に位置する用紙１２を取り出すジャム処理の作業において、カバー部４１が妨げにならない。
【００６４】
また、カバー部４１が第１位置Ｐ１にあるときに、排紙ローラ３４の排出向き１６の下流側部分６２のうち領域６３の範囲以外は露出しているので、通紙性が良好である。
【００６５】
また、排紙ローラ３４とカバー部４１との位置関係が保たれるので、排紙ローラ３４との衝突を回避しながらカバー部４１の移動距離が最小化される。
【００６６】
また、排紙ローラ３４にカバー部４１を連動させる構成が容易に実現できる。
【００６７】
また、カバー部４１が排紙ローラ３４を超えて排出向きに突出しないので、カバー部４１が排紙ローラ３４により排出される用紙１２の障害とならない。したがって、通紙性が良好である。
【００６８】
また、カバー部４１が側壁５４を有するので、排紙ローラ３４が軸方向からユーザに触れられることが防止される。
【００６９】
また、カバー部４１が底壁５５を有するので、排紙ローラ３４が下方からユーザに触れられることが防止される。また、用紙１２からの紙粉が底壁５５に受け止められるので、紙粉の落下が防止される。
【００７０】
また、底壁５５が貫通孔６８を有するので、排紙ローラ３４の回転を阻害するほど底壁５５内に紙粉が溜まることが防止される。
【００７１】
また、カバー部４１がプラテン４２と別に成型される場合と比べて、カバー部４１の成型が容易である。
【００７２】
［第２実施形態］
次に、図９を参照して、第２実施形態に係るプリンタ１０の移動機構１９０が説明される。第２実施形態に係る移動機構１９０は、プラテン４２を平行移動させる代わりに、左右方向９の軸回りに回転させる。移動機構１９０の構成を除いて、第２実施形態におけるその他の構成は第１実施形態の構成と同様なので、詳細な説明が省略される。
【００７３】
図９に示されるように、移動機構１９０は、２つのサイドフレーム１９１と、支点軸１９５と、２つの移動部材９２と、２つの当接片９３と、２つのバネ９４と、を備えている。サイドフレーム１９１、移動部材９２、当接片９３、及びバネ９４は、左右方向９の両側のそれぞれに設けられている。
【００７４】
移動部材９２は、図９（Ａ）に示される収納位置ＰＭ１と図９（Ｂ）に示される突出位置ＰＭ２との間を移動可能である。収納位置ＰＭ１及び突出位置ＰＭ２は、前後方向８における移動部材９２の把持部９６の前端の位置を示している。第２実施形態では、突出位置ＰＭ２は、収納位置ＰＭ１よりも後方に位置している。
【００７５】
左右に位置する２つのサイドフレーム１９１は、プラテン４２を、支点軸１９５を介して支持している。支点軸１９５は、左右方向９に延びる軸であって、２つのサイドフレーム１９１に固定されている。プラテン４２は、支点軸１９５の軸回りに回転可能である。２つのサイドフレーム１９１は、左右方向９に延びる図示せぬフレームにより連結されている。また、各サイドフレーム１９１は、移動部材９２を前後方向８に移動可能に支持している。
【００７６】
図９（Ａ）に示されるように、移動部材９２が収納位置ＰＭ１にあるとき、バネ９４に付勢された当接片９３は、凹面部４３ｂよりも前方に位置するプラテン４２の平面部４３ａに当接している。当接片９３がプラテン４２の平面部４３ａに当接しているとき、排紙ローラ３４が挟持位置ＰＥ１にあり、且つ、カバー部４１が第１位置Ｐ１にある。
【００７７】
図９（Ｂ）に示されるように、移動部材９２が突出位置ＰＭ２にあるとき、バネ９４に付勢された当接片９３は、プラテン４２の凹面部４３ｂに当接している。凹面部４３ｂは上方に窪んでいるため、当接片９３自体は図９（Ａ）に示される位置より上方に位置するが、プラテン４２の前端部は図９（Ａ）に示される位置より下方に位置する。つまり、プラテン４２は前下方に傾けられる。当接片９３がプラテン４２の凹面部４３ｂに当接しているとき、排紙ローラ３４が離間位置ＰＥ２にあり、且つ、カバー部４１が第２位置Ｐ２にある。
【００７８】
プラテン４２は、２つのサイドフレーム１９１に、左右方向９回りに回転可能に支持されている。そのため、移動部材９２の位置が収納位置ＰＭ１と突出位置ＰＭ２との間で変化するのに伴って、プラテン４２が支点軸１９５の軸回りに揺動する。カバー部４１はプラテン４２に固定されており、排紙ローラ３４はカバー部４１に支持されているので、プラテン４２の揺動に伴って、カバー部４１及び排紙ローラ３４も支点軸１９５の軸回りに揺動する。
【００７９】
［変形例］
第１及び第２実施形態に係るプリンタ１０では、底壁５５の前部５６の最上位置（曲面５８の前端及び平面５９）は、排紙ローラ３４の下端６４及び上端６５の間に位置しており、底壁５５は、排紙ローラ３４の外周面のうち、前方を向く部分の一部を覆っている。底壁５５は、排紙ローラ３４の外周面の少なくとも一部を覆えばよく、排紙ローラ３４の外周面のうち前方を向く部分を全く覆わなくてもよい。また、排紙ローラ３４における用紙１２の通紙性に影響がない範囲であれば、底壁５５の前端部から上方に延びる前壁が設けられてもよい。この前壁は、排紙ローラ３４の下端６４から前端６７までを覆ってもよく、さらには下端６４から上端６５の近傍までを覆ってもよい。
【００８０】
第１及び第２実施形態に係るプリンタ１０では、排紙ローラ３４がプラテン４２に固定されたカバー部４１に支持され、移動部材９２は、プラテン４２の移動に連動して、カバー部４１の排紙ローラ３４の軸心に対する距離を一定に保ちながら排紙ローラ３４及びカバー部４１を一体に移動させる。移動部材９２は、排紙ローラ３４を挟持位置ＰＥ１から離間位置ＰＥ２に移動させるのに連動してカバー部４１を第１位置Ｐ１から第２位置Ｐ２に移動させる構成であれば、第１実施形態及び第２実施形態に示された構成に限定されない。移動部材９２は、排紙ローラ３４及びカバー部４１にそれぞれ個別のリンク機構を介して連結されてもよい。移動部材９２が排紙ローラ３４及びカバー部４１を個別に移動させる構成の場合、カバー部４１の排紙ローラ３４の軸心に対する距離は、一定に保たれていなくてもよい。
【００８１】
第１及び第２実施形態に係るプリンタ１０では、カバー部４１の係合部５０が排紙ローラ３４の回転軸３６に係合しているが、カバー部４１は排紙ローラ３４の回転軸３６に係合していなくてもよい。
【００８２】
第１及び第２実施形態に係るプリンタ１０では、底壁５５の前端６６は、排紙ローラ３４の前端６７よりも後方に位置しているが、底壁５５の前端６６が排紙ローラ３４の前端６７よりも前方に位置してもよい。
【００８３】
第１及び第２実施形態に係るプリンタ１０では、底壁５５は貫通孔６８を有しているが、底壁５５は、貫通孔６８の代わりに上方に開口する開口部を有してもよい。また、貫通孔６８は無くてもよい。
【００８４】
第１及び第２実施形態に係るプリンタ１０では、カバー部４１はプラテン４２と一体であるが、プラテン４２とカバー部４１とが別体であってもよい。
【００８５】
第１及び第２実施形態に係るプリンタ１０では、移動部材９２は、ユーザによる手動操作によって移動するが、モータの駆動により移動してもよい。この場合、プリンタ１０は、モータの回転駆動力を移動部材９２に伝達する駆動伝達機構も備えている。
【００８６】
第１及び第２実施形態に係るプリンタ１０では、移動部材９２は、前後方向８に往復移動可能なスライド部材であるが、移動部材９２は、偏心カムであってもよい。この場合、排紙ローラ３４及びカバー部４１を支持する部材（例えば、プラテン４２）の下面が、偏心カムの外周面に接触するように設けられる。偏心カムの回転に伴って偏心カムの外周面の上端位置が上下するので、排紙ローラ３４及びカバー部４１が上下方向７に移動する。
【符号の説明】
【００８７】
１０・・・プリンタ（搬送装置及び画像記録装置の一例）
１６・・・排出向き
２４・・・記録部
３４・・・排紙ローラ（第２ローラの一例）
３５・・・第２拍車（第１ローラの一例）
３６・・・回転軸
４１・・・カバー部
４２・・・プラテン
５０・・・係合部
５１・・・カバー本体部
５４・・・側壁
５５・・・底壁（下流壁及び下壁の一例）
５６・・・前部（下流壁の一例）
５７・・・後部
６２・・・下流側部分
６３・・・領域
６４・・・下端
６５・・・上端
６６・・・前端（排出向き１６の下流側の端位置の一例）
６７・・・前端（排出向き１６の下流側の端位置の一例）
６８・・・貫通孔（開口の一例）
９０、１９０・・・移動機構
９２・・・移動部材
Ａ３４・・・軸心
Ｐ１・・・第１位置
Ｐ２・・・第２位置
ＰＥ１・・・挟持位置
ＰＥ２・・・離間位置
【図１】
2018172182.tif 000003
【図２】
2018172182.tif 000004
【図３】
2018172182.tif 000005
【図４】
2018172182.tif 000006
【図５】
2018172182.tif 000007
【図６】
2018172182.tif 000008
【図７】
2018172182.tif 000009
【図８】
2018172182.tif 000010
【図９】
2018172182.tif 000011